(57)【要約】【課題】  単純に低消費電力化を行なうと、輝度、解像度の劣化が生じ大幅に画質を劣化させるという問題が発生する。【解決手段】  プラズマパネルとプラズマパネルに電圧を印加するための手段すなわち駆動手段を少なくとも構成要素の一部とするプラズマディスプレイ装置において、プラズマパネルは少なくとも複数の放電セルを構成要素の一部として有し、放電セルは、放電セルに電圧を印加するための電極、放電を形成するための放電ガス、放電が形成される放電空間、放電で発生する紫外線による励起で可視光を発光する蛍光膜を少なくとも構成要素の一部として有し、画面内の輝度が、画面中央部から画面周辺部に行くに従い徐々に低くなっていく分布を持ち、画面内輝度比（画面周辺部／画面中央部）（Ｐ）が  0.4≦P≦0.8であることを特徴とする。これにより、低消費電力のプラズマパネルを提供することができる。【選択図】図１
2009170120.tif 000002
【特許請求の範囲】
【請求項１】
プラズマパネルと上記プラズマパネルに電圧を印加するための手段すなわち駆動手段を少なくとも構成要素の一部とするプラズマディスプレイ装置において、
上記プラズマパネルは少なくとも複数の放電セルを構成要素の一部として有し、
上記放電セルは、放電セルに電圧を印加するための電極、放電を形成するための放電ガス、上記放電が形成される放電空間、上記放電で発生する紫外線による励起で可視光を発光する蛍光膜を少なくとも構成要素の一部として有し、
画面内の輝度が、画面中央部から画面周辺部に行くに従い徐々に低くなっていく分布を持ち、画面内輝度比（画面周辺部／画面中央部）（Ｐ）が
0.4≦P≦0.8
であることを特徴とするプラズマパネル。
【請求項２】
前記放電セルの各セルの放電電流が、画面中央部から画面周辺部に行くに従い徐々小さくなることを特徴とする請求項１記載のプラズマパネル。
【請求項３】
前記放電セルの各セル内に設けられた放電電極の面積が、画面中央部から画面周辺部に行くに従い徐々小さくなることを特徴とする請求項２記載のプラズマパネル。
【請求項４】
前記放電セルの各セルの放電体積が、画面中央部から画面周辺部に行くに従い徐々小さくなることを特徴とする請求項２記載のプラズマパネル。
【発明の詳細な説明】
【技術分野】
【０００１】
本発明は、平面型テレビなどに用いられるプラズマディスプレイパネル（以下、「プラズマパネル」ともいう）及びそれを用いたプラズマディスプレイ装置（以下、「プラズマディスプレイ」ともいう）に関し、低消費電力化と画質の両立に関する。
【背景技術】
【０００２】
プラズマディスプレイは、薄型平面ディスプレイとして、大型化、高輝度化が進んでいる。また、今後の高解像度デジタル放送に向けてフルＨＤ（High Definition）対応化（高精細化）も要求されている。
【０００３】
また、近年地球温暖化が大きな問題になっており、京都議定書で示されたエネルギー６％削減など、電気製品においても、低消費電力を進めていく必要がある。しかし、プラズマディスプレイパネルにおいて、大型化、高輝度化、高精細化を進めることは、消費電力の増大につながるため、低消費電力につながる技術の開発が必要となっている。
【発明の開示】
【発明が解決しようとする課題】
【０００４】
現在、地球温暖化は世界的な問題になっており、地球温暖化防止のための京都議定書で示されたように、エネルギーの削減を行なうことは必須であり、プラズマディスプレイパネルにおいても、低消費電力化を進めることは必要である。しかし、単純に低消費電力化を行なうと、輝度、解像度の劣化が生じ大幅に画質を劣化させるという問題が発生する。さらに、今後、大画面化、高輝度化、高精細化を進めることは、消費電力の増大につながる。
【０００５】
本発明は上記の課題を解決し、プラズマディスプレイにおける低消費電力化と画質の維持向上の両立を可能にする。
【課題を解決するための手段】
【０００６】
プラズマパネル画面内に画面中央部から画面周辺部に行くに従い徐々に輝度が低くなっていく輝度分布を設ける。
【発明の効果】
【０００７】
本発明により、プラズマパネルにおいて低消費電力化と画質の維持向上の両立を可能にすることができる。
【発明を実施するための最良の形態】
【０００８】
本発明の実施の形態を図面に基づいて詳細に説明する。なお、実施の形態を説明するための全図において、同一の機能を有する部材には同一の符号を付し、その繰り返しの説明は省略する。また、以下の実施の形態では、特に必要なとき以外は同一または同様な部分の説明を原則として繰り返さない。また、本願において「前面基板」と「背面基板」は、両者を組み立ててパネル化した際に、放電空間からの蛍光体による発光光を通過して表示面となる方を前面基板、表示面とならない方を背面基板とする。
【０００９】
図１は、本発明者らが検討したプラズマパネルを模式的に示す要部断面図である。なお、図１では、構造を分かり易くするため、前面基板１を背面基板６から離して図示している。
【００１０】
図１に示すように、前面基板１上にバス電極２、透明電極３、誘電体４および、保護膜５が順に配置されている。一方、背面基板６上にアドレス電極９およびそれを覆うように誘電体８が配置されている。また、誘電体８上に隔壁７および隣接する隔壁７間の蛍光膜１０が配置されている。この前面基板１と背面基板６とを対向して張り合わせることで、放電空間が前面基板１と背面基板６との間に形成され、プラズマパネルが構成されている。
【００１１】
プラズマパネルでは、各セルごとにセル内で放電を発生させ、それをセル内に充満した希ガスにより紫外線に変換し、さらにその紫外線を蛍光体によって可視光に変換することで、画像を表示している。
【００１２】
一般的にプラズマパネルはこの同じ構造のセルを並べて構成されているため、画面内の輝度はほぼ一定となる。ここで、低消費電力化のためには、放電電力を小さくすることが必要であるが、その場合、輝度が低くなってしまい画質が大幅に劣化するという問題が発生する。
【００１３】
そこで、本発明に示す、プラズマパネル画面内に画面中央部から画面周辺部に行くに従い徐々に輝度が低くなっていく輝度分布を設けることとする。
【００１４】
カラーブラウン管を用いたディスプレイでは、カラーブラウン管に偏向角があるため、偏向角の増大に伴い、画面中央部から画面周辺部に向かって輝度が低くなってしまう。
しかし、人間の視覚特性として、徐々に変化していく輝度の変化に対しては鈍感である。
このため、カラーブラウン管を用いたディスプレイで、画面周辺輝度が、画面中央輝度に比較し４０％以上あれば、ディスプレイの画質として問題ないことがわかっている。
【００１５】
ただし、カラーブラウン管の場合、電子源は一つであり、画面の中央部と周辺部で電流値に変化はないため、カラーブラウン管を用いたディスプレイでは、画面周辺輝度が、画面中央輝度に差が生じても、消費電力に変化はない。
【００１６】
プラズマパネルの場合、セル各々が放電し発光するので、輝度が画面中央部から画面周辺部に行くに従い徐々に低くなっていくように、各セルの放電電流を変化させると、輝度が一様な場合に比較し、消費電力を低減することができる。
【００１７】
図２に画面内輝度比（画面周辺部／画面中央部）に対する消費電力比（画面内輝度比が１の場合の消費電力を１とする）のグラフを示す。
画面周辺輝度が小さくなる、すなわち画面内輝度比（画面周辺部／画面中央部）が小さくなるにつれ、消費電力比が小さくなっていることがわかる。
【００１８】
消費電力は、地球温暖化防止として京都議定書の目標値である６％削減を考慮すると、消費電力比0.94以下が必要であり、画面内輝度比は0.8以下となる。
【００１９】
また、画質を維持するためには、上記に示したように画面周辺輝度が、画面中央輝度に比較し４０％以上あれば問題ないので、画面内輝度比0.4以上が必要である。このときの
消費電力比は、0.8となり消費電力を２０％削減できる。
【００２０】
したがって、プラズマパネルにおいて画質を維持し、消費電力を削減するため、画面内に画面中央部から画面周辺部に行くに従い徐々に輝度が低くなっていく輝度分布をもち、画面内輝度比(P)が0.4≦P≦0.8であることで可能となる。
【実施例１】
【００２１】
プラズマパネルにおいて、各セル内で放電領域を形成する透明電極３のセル内での面積が、画面中央部から画面周辺部に行くに従い徐々に小さくなるようにし、画面内輝度比が0.8になるようにする。本実施例では、各セルの放電面積が小さくなっていくので、放電電流が画面中央部から画面周辺部に行くに従い徐々小さくなり、消費電力は6％削減できる。このとき、画面内輝度比が0.4以上あるので画質の劣化は無い。
【実施例２】
【００２２】
プラズマパネルにおいて、各セルの放電体積となる背面基板の隔壁の間隔が、画面中央部から画面周辺部に行くに従い徐々に小さくなるようにし、画面内輝度比が0.8になるようにする。本実施例では、各セルの放電空間が小さくなっていくので、放電電流が画面中央部から画面周辺部に行くに従い徐々小さくなり、消費電力は6％削減できる。このとき、画面内輝度比が0.4以上あるので画質の劣化は無い。
【実施例３】
【００２３】
プラズマパネルで、図３に示すような背面基板の各セルが隔壁にて囲まれている形状において、各セル内で放電領域を形成する透明電極３のセル内での面積が、画面中央部から画面周辺部に行くに従い徐々に小さくなるようにし、画面内輝度比が0.8になるようにする。本実施例では、各セルの放電面積が小さくなっていくので、放電電流が画面中央部から画面周辺部に行くに従い徐々小さくなり、消費電力は6％削減できる。このとき、画面内輝度比が0.4以上あるので画質の劣化は無い。
【実施例４】
【００２４】
プラズマパネルで、図３に示すような背面基板の各セルが隔壁にて囲まれている形状において、各セルの放電体積となる背面基板の隔壁に囲まれた体積が、画面中央部から画面周辺部に行くに従い徐々に小さくなるようにし、画面内輝度比が0.8になるようにする。本実施例では、各セルの放電空間が小さくなっていくので、放電電流が画面中央部から画面周辺部に行くに従い徐々小さくなり、消費電力は6％削減できる。このとき、画面内輝度比が0.4以上あるので画質の劣化は無い。
【図面の簡単な説明】
【００２５】
【図１】本発明の一実施の形態であるプラズマパネルを模式的に示す要部断面図である。
【図２】画面内輝度比（画面周辺部／画面中央部）と消費電力比の関係を示すグラフである。
【図３】本発明の一実施例３、実勢例４に示す各セルが背面基板の隔壁に囲まれた形状を有する形態であるプラズマパネルを模式的に示す要部断面図である。
【符号の説明】
【００２６】
１…前面基板
２…バス電極
３…透明電極
４…誘電体
５…保護膜
６…背面基板
７…隔壁
８…誘電体
９…アドレス電極
１０…蛍光膜。
【図１】
2009170120.tif 000003
【図２】
2009170120.tif 000004
【図３】
2009170120.tif 000005